(57)【要約】【課題】本発明は、履帯ピンや、ブッシュの摩耗損傷を防止し、長期間の使用に耐える履帯ピンシールを提供することを目的とする。【解決手段】ブッシュに嵌合した内側リンク部材と、前記ブッシュに回転自在に挿入された履帯ピンと、前記履帯ピンに嵌合した外側リンク部材と、前記外側リンク部材に形成した環状段部、前記ブッシュの端面、及び前記履帯ピンにより区画される環状空間内に配置され、前記ブッシュの前記端面に当接するシールリングと、前記シールリングを前記端面に押圧する負荷リングとを備えた履帯ピンシールにおいて、前記シールリングが、前記環状段部の内周面と密封接触するシール手段を備えている構成とした。【選択図】  図１
2010001932.tif 000002
【特許請求の範囲】
【請求項１】
ブッシュ（１）に嵌合した内側リンク部材（２）と、前記ブッシュ（１）に回転自在に挿入された履帯ピン（３）と、前記履帯ピン（３）に嵌合した外側リンク部材（４）と、前記外側リンク部材（４）に形成した環状段部（４１）、前記ブッシュ（１）の端面（１１）、及び前記履帯ピン（３）により区画される環状空間（５）内に配置され、前記ブッシュ（１）の前記端面（１１）に当接するシールリング（６）と、前記シールリング（６）を前記端面（１１）に押圧する負荷リング（７）とを備えた履帯ピンシールにおいて、前記シールリング（６）が、前記環状段部（４１）の内周面（４１１）と密封接触するシール手段（６１）を備えていることを特徴とする履帯ピンシール。
【請求項２】
前記シール手段（６１）が前記端面（１１）側に向って伸びるリップ形状のシールであることを特徴とする請求項１記載の履帯ピンシール。
【請求項３】
前記シールリング（６）が、金属材製の補強環（６２）を備えていることを特徴とする請求項１または２記載の履帯ピンシール。
【請求項４】
前記シールリング（６）の材質と、前記負荷リング（７）の材質が異なるゴム状弾製材で製作されていることを特徴とする請求項１〜３いずれか一項記載の履帯ピンシール。
【請求項５】
前記負荷リング（７）が、前記補強環（６２）に形成した段部（６２１）と、前記環状空間（５）内の前記履帯ピン（３）外周面上に配置したスラスト受（８）外周面との間に配置された断面略台形状であることを特徴とする請求項１〜４いずれか一項記載の履帯ピンシール。
【請求項６】
前記履帯ピン（３）と前記ブッシュ（１）との摺動面間に潤滑油が供給される、オイル封入タイプであることを特徴とする請求項１〜５いずれか一項記載の履帯ピンシール。
【発明の詳細な説明】
【技術分野】
【０００１】
本発明は、土砂、泥水の中を走行する建設機械に使用する履帯連結部のシール性を確保するための履帯ピンシールに関するものである。
【背景技術】
【０００２】
従来、図２に示す構造の履帯ピンシールが知られている。
すなわち、この履帯ピンシールは、ブッシュ１００に嵌合した内側リンク部材２００と、このブッシュ１００に回転自在に挿入された履帯ピン３００と、この履帯ピン３００に嵌合した外側リンク部材４００とが配置されている。
【０００３】
そして、シールリング６００が、外側リンク部材４００に形成した環状段部４１０と、ブッシュ１００の端面１１０と、履帯ピン３００により区画される環状空間５００内に配置され、ブッシュ１００の端面１１０に当接している。
また、シールリング６００は、負荷リング７００により、端面１１０側に押圧されている。
【０００４】
しかし、シールリング６００の背面を押圧している負荷リング７００は、土砂等が存在する外部に、露呈した状態で存在する構成となっている。
このため、シールリング６００と負荷リング７００とが接している界面９００から、土砂等が内部に浸入し、履帯ピン３００や、ブッシュ１００を早期に摩耗損傷する問題を惹起していた。
【０００５】
【特許文献１】実開平０４−１３３０６９号公報
【発明の開示】
【発明が解決しようとする課題】
【０００６】
本発明の目的は、履帯ピンや、ブッシュの摩耗損傷を防止し、長期間の使用に耐える履帯ピンシールを提供することにある。
【課題を解決するための手段】
【０００７】
本発明は、かかる目的を達成するために、ブッシュに嵌合した内側リンク部材と、前記ブッシュに回転自在に挿入された履帯ピンと、前記履帯ピンに嵌合した外側リンク部材と、前記外側リンク部材に形成した環状段部、前記ブッシュの端面、及び前記履帯ピンにより区画される環状空間内に配置され、前記ブッシュの前記端面に当接するシールリングと、前記シールリングを前記端面に押圧する負荷リングとを備えた履帯ピンシールにおいて、
前記シールリングが、前記環状段部の内周面と密封接触するシール手段を備えている構成とした。
【発明の効果】
【０００８】
本発明は、以下に記載される効果を奏する。
請求項１記載の発明の履帯ピンシールによれば、外部の土砂、泥水等が内部に浸入することを効果的に阻止出来るため、履帯ピンや、ブッシュの摩耗損傷を防止し、長期間の使用に耐えることが出来る。
請求項２記載の発明の履帯ピンシールによれば、振動や軸変芯運動が作用したとしても、外部の土砂、泥水等が内部に浸入することを、より効果的に阻止出来る。
【０００９】
請求項３記載の発明の履帯ピンシールによれば、シールリングの姿勢を安定した形で維持できるため、良好な密封機能を発揮出来る。
請求項４記載の発明の履帯ピンシールによれば、シールリングの寿命をより長く維持出来る材質と、シールリングに対し、長期間安定した負荷を与えることが出来る材質の最適化を図ることが出来る。
【００１０】
請求項５記載の発明の履帯ピンシールによれば、シールリングに対し、安定した負荷を与えることが出来る。
請求項６記載の発明の履帯ピンシールによれば、オイル封入タイプにおいて、特に有効である。
【発明を実施するための最良の形態】
【００１１】
以下、本発明を実施するための最良の形態について説明する。
図１を参照しながら、本発明を実施するための最良の形態について説明する。
【００１２】
本発明に係る履帯ピンシールは、ブッシュ１に嵌合した内側リンク部材２と、このブッシュ１に回転自在に挿入された履帯ピン３と、この履帯ピン３に嵌合した外側リンク部材４とを備えている。
更に、外側リンク部材４に形成した環状段部４１と、ブッシュ１の端面１１と、履帯ピン３とにより区画される環状空間５内には、ブッシュ１の端面１１に当接するシールリング６と、シールリング６を端面１１に押圧する負荷リング７とが配置されている。
【００１３】
また、シールリング６は、環状段部４１の内周面４１１と密封接触するシール手段６１を有している。
このシール手段６１は、端面１１側（外部側）に向って伸びるリップ形状のシールとしたが、耐ダスト性を考慮して、ガスケット形状としても良い。
このシール手段６１が存在するため、外部に存在する土砂や泥水が、内側リンク部材２と外側リンク部材４との間隙を通って、負荷リング７まで浸入することを防ぐことが出来る。
【００１４】
また、シールリング６は、ＳＰＣＣ等の金属材製の補強環６２を備えている。
この補強環６２は、ワッシャー状部分６２３と円筒状部分６２２とを備えており、このワッシャー状部分６２３には、ブッシュ１の端面１１に密封接触している、断面略三角形状のシール面６２４が形成され、この円筒状部分６２２には、シール手段６１が設けられている。
【００１５】
このシールリング６は、耐摩耗性の良好な、Ａ硬度７５〜９０程度のウレタンゴムが使用される。
また、負荷リング７は、ゴム状弾製材製であるが、特に、弾性回復性が良好なニトリルゴム（ＮＢＲ）が好んで用いられる。
この負荷リング７は、断面略台形状を呈しおり、補強環６２のワッシャー状部分６２３と円筒状部分６２２とより形成した段部６２１と、環状空間５内の履帯ピン３の外周面上に配置したスラスト受８外周面との間に配置されている。
【００１６】
更に、この種履帯ピンシールは、履帯ピン３とブッシュ１との摺動面間に、潤滑油が供給される、オイル封入タイプである。
【図面の簡単な説明】
【００１７】
【図１】本発明の実施例に係る履帯ピンシールを示す断面図である。
【図２】従来技術に係る履帯ピンシールを示す断面図である。
【符号の説明】
【００１８】
１  ブッシュ
２  内側リンク部材
３  履帯ピン
４  外側リンク部材
５  環状空間
６  シールリング
７  負荷リング
８  スラスト受
１１  端面
４１  環状段部
６１  シール手段
６２  補強環
【図１】
2010001932.tif 000003
【図２】
2010001932.tif 000004